【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
タッチ感応携帯用電子アプライアンスにおける通信を提供するために、タッチ・センサおよび近距離通信アンテナ技術を統合するシステムであって、
表示画面と、
前記表示画面上に配置されることによって、タッチ・スクリーンを形成するタッチ・センサと、
前記タッチ・スクリーンの下に配置され、信号を受信する第１近距離通信アンテナと、
前記表示画面の直下に配置され、前記タッチ・スクリーンを介して信号を送信する第２近距離通信アンテナと
を含む、システム。
【請求項２】
請求項１記載のシステムであって、更に、
前記第２近距離通信アンテナと前記タッチ・センサとの間に配置された接地面を含み、該接地面が、閉ループがないように形成された複数の電極を含むことによって、前記電極における渦電流を最小限に抑える、システム。
【請求項３】
請求項１記載のシステムであって、更に、
前記第２近距離通信アンテナと同じ基板上に接地面を含み、該接地面が、閉ループがないように形成された複数の電極を含むことによって、前記電極における渦電流を最小限に抑える、システム。
【請求項４】
請求項１記載のシステムであって、更に、
前記第２近距離通信アンテナの下に配置された接地面を含み、該接地面が、閉ループがないように形成された複数の電極を含むことによって、前記電極における渦電流を最小限に抑える、システム。
【請求項５】
請求項１記載のシステムであって、更に、
前記第１近距離通信アンテナのために使用される低または高インピーダンス材料と、
前記第２近距離通信アンテナのために使用される低インピーダンス材料と
を含む、システム。
【請求項６】
請求項５記載のシステムであって、更に、
高入力インピーダンス入力回路を有し、前記第１近距離通信アンテナから入力信号を受信するアンテナ回路と、信号を前記第２近距離通信アンテナに送信する低出力インピーダンス駆動回路とを含む、システム。
【請求項７】
請求項１記載のシステムにおいて、更に、
前記システムの少なくとも１つの基板上にフェライト材料を配置することによって、前記システムによって生成される電界または磁界を圧縮する、システム。
【請求項８】
請求項１記載のシステムであって、更に、
前記タッチ・センサと前記第２ＮＦＣアンテナとの間に配置された少なくとも１つの基板を含み、導電性材料が前記少なくとも１つの基板の表面上に配置されることによって、前記第２ＮＦＣアンテナの前記タッチ・センサとの電界干渉を低減させる、システム。
【請求項９】
請求項８記載のシステムであって、更に、
前記少なくとも１つの基板上の前記導電性材料の全てに結合されることによって、前記導電性材料の全てを電気的に結合する導電性電極を含む、システム。
【請求項１０】
請求項８記載のシステムであって、更に、
前記タッチ・センサの各電極上に配置されることによって、前記第２ＮＦＣアンテナの前記タッチ・センサとの干渉を防止するフィルタを含む、システム。
【請求項１１】
請求項１０記載のシステムであって、更に、
前記タッチ・センサの各電極上に配置されることによって、前記第２ＮＦＣアンテナから接地に信号を分流させるキャパシタを含む、システム。
【請求項１２】
請求項１記載のシステムであって、更に、
前記タッチ・センサ、前記表示画面、および前記ＮＦＣアンテナによって使用されることによって、前記タッチ・センサ、前記表示画面、および前記ＮＦＣアンテナ間における望ましくない信号を最小限に抑える共通発振クロッキング信号を含む、システム。
【請求項１３】
請求項１記載のシステムであって、更に、
前記第２ＮＦＣアンテナのアクティブ化を検出することによって、前記タッチ・センサが検知機能を変更することを可能にするセンサを含む、システム。
【請求項１４】
請求項１記載のシステムであって、更に、
前記タッチ・センサのアクティブ化を検出することによって、前記第２ＮＦＣアンテナが通信機能を終了させることを可能にするセンサを含む、システム。
【請求項１５】
請求項１記載のシステムであって、更に、
前記第１ＮＦＣアンテナ、前記第２ＮＦＣアンテナ、または前記２つの組み合わせのアクティブ化を可能にするスイッチを、前記タッチ・センサ内に含む、システム。
【請求項１６】
請求項１記載のシステムであって、更に、
前記タッチ・センサ、前記第１近距離通信アンテナ、前記第２近距離通信アンテナ、および前記表示画面の機能を同期させる同期回路を含む、システム。
【請求項１７】
請求項１記載のシステムであって、更に、相互容量タッチ・センサを含む、システム。
【請求項１８】
請求項１記載のシステムにおいて、前記表示画面が、更に、
液晶ディスプレイ、発光ダイオード・ディスプレイ、および有機発光ダイオード・ディスプレイを含む表示画面の一群から選択される、システム。
【請求項１９】
請求項１記載のシステムであって、更に、
前記第１近距離通信アンテナが信号を受信するために使用される場合に、前記第１近距離通信アンテナに接続される指向性カプラを含む、システム。
【請求項２０】
タッチ感応携帯用電子アプライアンスにおける通信を提供するためにタッチ・センサおよび近距離通信アンテナ技術を統合する方法であって、
１）表示画面と、前記表示画面上に配置されることによってタッチ・スクリーンを形成するタッチ・センサと、前記タッチ・スクリーンの下に配置され信号を受信する第１近距離通信アンテナと、前記タッチ・スクリーンの下またはその周囲に配置され信号を送信する第２近距離通信アンテナとを設けるステップと、
２）前記第２近距離通信アンテナから前記表示画面、前記タッチ・センサ、および前記第１近距離通信アンテナを介して近距離通信信号を送信するステップと、
３）前記第１近距離通信アンテナ上において近距離通信信号を受信するステップと、
を含む、方法。
【請求項２１】
請求項２０記載の方法であって、更に、
１）前記第２近距離通信アンテナと前記タッチ・センサとの間に接地面を配置するステップと、
２）閉ループが生じないようにすることによって前記電極における渦電流を最小限に抑えるように、複数の接地面電極を形成するステップと、
を含む、方法。
【請求項２２】
請求項２０記載の方法であって、更に、
１）前記第２近距離通信アンテナと同じ基板上に接地面を配置するステップと、
２）閉ループが生じないようにすることによって前記電極における渦電流を最小限に抑えるように、複数の接地面電極を形成するステップと、
を含む、方法。
【請求項２３】
請求項２０記載の方法であって、更に、
１）前記第２近距離通信アンテナの下において基板上に接地面を配置するステップと、
２）閉ループが生じないようにすることによって前記電極における渦電流を最小限に抑えるように、複数の接地面電極を形成するステップと、
を含む、方法。
【請求項２４】
請求項２０記載の方法であって、更に、
１）前記第１近距離通信アンテナのために低または高インピーダンス材料を設けるステップと、
２）前記第２近距離通信アンテナに使用される低インピーダンス材料を設けるステップと、
を含む、方法。
【請求項２５】
請求項２４記載の方法であって、更に、
前記第１近距離通信アンテナから入力信号を受信する高入力インピーダンス入力回路を有するアンテナ回路と、前記第２近距離通信アンテナに信号を送信する低出力インピーダンス駆動回路とを設けるステップを含む、方法。
【請求項２６】
請求項２０記載の方法であって、更に、
前記システムの少なくとも１つの基板上にフェライト材料を配置することによって、前記システムによって生成される電界または磁界を抑制するステップを含む、方法。
【請求項２７】
請求項２０記載の方法であって、更に、
前記タッチ・センサと前記第２ＮＦＣアンテナとの間に少なくとも１つの基板を配置することによって、前記タッチ・センサ上における前記第２ＮＦＣアンテナの電界干渉を低減するステップを含み、導電性材料が前記少なくとも１つの基板の表面上に配置される、方法。
【請求項２８】
請求項２７記載の方法であって、更に、
前記タッチ・センサの各電極上にフィルタを配置することによって、前記タッチ・センサ上における前記第２ＮＦＣの干渉を防止するステップを含む、方法。
【請求項２９】
請求項２８記載の方法であって、更に、
前記タッチ・センサの各電極上にキャパシタを配置することによって、前記第２ＮＦＣアンテナから接地に信号を分流させるステップを含む、方法。
【請求項３０】
請求項２０記載の方法であって、更に、
前記タッチ・センサおよび前記第２ＮＦＣアンテナによって使用される共通発振クロッキング信号を使用することによって、前記タッチ・センサ上における前記第２ＮＦＣアンテナからの所望されない信号を最小限に抑えるステップを含む、方法。
【請求項３１】
請求項２０記載の方法であって、更に、
センサを使用することによって前記第２ＮＦＣアンテナのアクティブ化を検出することによって、検知機能を終了させるステップを含む、方法。
【請求項３２】
請求項２０記載の方法であって、更に、
前記タッチ・センサのアクティブ化を検出することによって、通信機能を終了させるステップを含む、方法。
【請求項３３】
請求項２０記載の方法であって、更に、
前記タッチ・センサにおいてスイッチをアクティブ化することによって、前記第１ＮＦＣアンテナ、前記第２ＮＦＣアンテナ、または前記２つの組み合わせのアクティブ化を可能にするステップを含む、方法。
【請求項３４】
請求項２０記載の方法であって、更に、
前記タッチ・センサ、前記第１近距離通信アンテナ、前記第２近距離通信、および前記表示画面の機能を同期させることによって、前記コンポーネントの干渉を最小限に抑えるステップを含む、方法。
【請求項３５】
請求項２０記載の方法であって、更に、
液晶ディスプレイ、発光ダイオード・ディスプレイ、および有機発光ダイオード・ディスプレイを含む表示画面の一群から前記表示画面を選択するステップを含む、方法。
【請求項３６】
請求項２０記載の方法であって、更に、
前記第２近距離通信アンテナが信号を受信するために使用される場合、指向性カプラを前記第２近距離通信アンテナに結合することによって、前記第２ＮＦＣアンテナの感度を高めるステップを含む、方法。
【請求項３７】
タッチ感応携帯用電子アプライアンスにおける通信を提供するためにタッチ・センサおよび近距離通信アンテナ技術を統合するシステムであって、
複数の表示電極を有し、表示を生成するための表示画面と、
近接およびタッチ検出を行うため、更に前記表示画面とともに使用するためのタッチ・スクリーンを形成するために、前記複数の表示電極を共有するタッチ・センサと、
前記表示画面の下またはその周囲に配置され、前記タッチ・スクリーンを介して信号を送信する第１近距離通信アンテナと、
前記タッチ・スクリーンの下に配置され、信号を受信する第２近距離通信アンテナと
を含む、システム。
【請求項３８】
タッチ感応携帯用電子アプライアンスにおける通信を提供するためにタッチ・センサおよび近距離通信アンテナ技術を統合するシステムであって、
複数の表示電極を有し、表示を生成するための表示画面と、
近接およびタッチ検出を行うため、更に前記表示画面とともに使用するためのタッチ・スクリーンを形成するために、前記複数の表示電極を共有するタッチ・センサと、
前記複数の表示電極を共有し、前記タッチ・スクリーンを介して信号を送信および受信する第１近距離通信アンテナと、
前記表示画面、前記タッチ・センサ、および前記第１近距離通信アンテナが、前記複数の表示電極の使用を共有することを可能にするために、前記複数の表示電極の使用を制御する手段と
を含む、システム。
【請求項３９】
請求項３８記載のシステムであって、更に、前記タッチ・スクリーン上に配置され信号を受信する第２近距離通信アンテナを含む、システム。
【請求項４０】
タッチ感応携帯用電子アプライアンスにおける通信を提供するためにタッチ・センサおよび近距離通信アンテナ技術を統合するシステムであって、
表示画面と、
前記表示画面上に配置された複数のセンサ電極を有することによってタッチ・スクリーンを形成するタッチ・センサと、
前記複数のセンサ電極を共有し、前記タッチ・スクリーンを介して信号を送信する第１近距離通信アンテナと
を含む、システム。
【請求項４１】
請求項４０記載のシステムであって、更に、前記タッチ・スクリーンの下またはその内側に配置され、信号を受信する第２近距離通信アンテナを含む、システム。
【請求項４２】
タッチ感応携帯用電子アプライアンスにおける通信を提供するためにタッチ・センサおよび近距離通信アンテナ技術を統合するシステムであって、
表示画面と、
前記表示画面の下に配置された複数のセンサ電極を有することによってタッチ・スクリーンを形成するタッチ・センサと、
前記複数のセンサ電極を共有し、前記タッチ・スクリーンを介して信号を送信する第１近距離通信アンテナと
を含む、システム。
【請求項４３】
請求項４２記載のシステムであって、更に、前記タッチ・スクリーンの下またはその内部に配置され、信号を受信する第２近距離通信アンテナを含む、システム。